(57)【要約】      （修正有）【課題】キールトラス梁のたわみにより、そのキールトラス梁端部に位置する下弦材先端部が大きく外側に変位することで、キールトラス梁を支える主柱が外側に傾斜する現象を解決できるトラス梁と主柱との接合構造を提供する。【解決手段】キールトラス梁１の端部とそれを支える主柱２との接合において、キールトラス梁端部の上弦材３とラチス材４は主柱２の頂部に接合する。下弦材５はその先端部と主柱２の側面との間に一定の隙間ｄを設けるために、やや短くしてあり、直接には主柱２に接合しない。その隙間ｄは、キールトラス梁がたわんでも、下弦材の先端部が主柱の側面に接触しない十分な寸法としてある。かつその隙間ｄ部分には、下弦材先端部と主柱の側面とを接合する接合部材６を、主柱側に取り付ける。建方完了による支保工２０の撤去後に、キールトラス梁がたわんだ状態にて、下弦材の先端部と接合部材とを溶接もしくはボルトにて接合する。【選択図】図１
0003190033.tif 000002
【実用新案登録請求の範囲】
【請求項１】
トラス梁と当該トラス梁の端部を支える主柱との接合構造において、前記トラス梁の端部に位置する上弦材、下弦材およびラチス材のうち、下弦材は前記トラス梁が前記主柱間でたわんだ際に下弦材の先端部と主柱の側面との間に間隙を保持し得る長さに形成され、かつ前記主柱の側面に接合部材によって前記トラス梁がたわんだ状態で接合されてなることを特徴とするトラス梁と主柱との接合構造。
【請求項２】
請求項１記載のトラス梁と主柱との接合部において、前記接合部材は主柱の側面に取り付けられた定着板と当該定着板に鉛直面と平行に突設された接合板を有し、前記下弦材の先端部は前記接合板に溶接またはボルト接合されてなることを特徴とするトラス梁と主柱との接合構造。
【請求項３】
請求項１記載のトラス梁と主柱との接合部において、前記接合部材は主柱の側面に取り付けられた定着板と当該定着板に鉛直面と平行に突設された複数の接合板を有し、前記下弦材の先端部は前記複数の接合板に溶接またはボルト接合されてなることを特徴とするトラス梁と主柱との接合構造。
【請求項４】
請求項１記載のトラス梁と主柱との接合構造において、前記接合部材は主柱の側面に取り付けられた固定部と当該固定部に鉛直方向に回転自在にピン着された回転部とから構成され、前記下弦材の先端部は前記接合部材の回転部に連結長ボルトによって接合されてなることを特徴とするトラス梁と主柱との接合構造。
【請求項５】
請求項１〜４のいずれかひとつに記載のトラス梁と主柱との接合構造において、前記下弦材はＨ形鋼、CT形鋼、Ｌ形鋼または溝形鋼若しくは四角断面木材から形成されてなることを特徴とするトラス梁と主柱との接合構造。
【請求項６】
請求項５記載のトラス梁と主柱との接合構造において、前記下弦材は２本のＬ形鋼または溝形鋼を抱き合わせることにより形成されてなることを特徴とするトラス梁と主柱との接合構造。
【考案の詳細な説明】
【技術分野】
【０００１】
本考案は、一般的にキールトラス梁と呼称される梁成の大きなトラス梁（以下、「キールトラス梁」と称す）と当該キールトラス梁を支える主柱との接合構造に関し、詳しくはキールトラス梁の端部に位置する下弦材の先端部を主柱の側面に接合するキールトラス梁端部の下弦材の接合構造に関するものである。
【背景技術】
【０００２】
従来、張間の大きな建物の屋根を支える架構として、キールトラス梁を主柱で支える架構が用いられることが多かった。
【０００３】
例えば、図９(a)に図示するように、複数の上弦材3,…、ラチス材4，…、および複数の下弦材5,…によって構成されるキールトラス梁１を主柱2,2で支える鉄骨架構において、キールトラス梁１は水平に、主柱2,2は鉛直真直ぐになるように製作される。
【０００４】
また、現場の建方においては、キールトラス梁１は、ベントなどの支保工20,20により支えられた状態で組み立てられるので、キールトラス梁１は水平に、主柱2,2は鉛直真直ぐの状態が保持されている。
【０００５】
しかし、架構全体が完全に組み上がれば、支保工20は撤去されるので、図９(b)に図示するように、少なくとも鉄骨自重Ｗのためにキールトラス梁１はたわみ(δV)、キールトラス梁１の端部は回転（θ）を起し、そこに位置する下弦材５と主柱２との接点は大きく外側に変位（δH）し、その結果、主柱2,2は外側に傾斜する。
【０００６】
一方、支保工20,20が撤去されるまでは、キールトラス梁１が取付いた主柱２と同じ鉛直面内にあった間柱21は、キールトラス梁１に接合されていないため、上記キールトラス梁１の端部の回転（θ）による変位（δH）の影響をほとんど受けず、支保工20,20が撤去されても、ほぼ鉛直真直ぐ立っている。
【０００７】
しかし、支保工20の撤去後、これらの主柱２及び間柱21には壁仕上げ材を受けるための胴縁30等の二次部材を取り付けるが、図９(c)（下弦材５レベルでの水平断面視：図９(b)におけるＢ−Ｂ線断面を示す）に図示する矢印のように、キールトラス梁１を受ける主柱２の方が間柱21よりも外側に張り出している。
【０００８】
このため、この状態で胴縁30を各柱に直に取り付けると、図９(c)の実線で表示した胴縁30のように蛇行してしまうため、必然的に、胴縁30に貼られる壁仕上げ材の面は歪んでしまう。
【０００９】
壁仕上げ材が設計通りの平面に仕上がるようにするためには、図９(d)に示すように、間柱21に取り付く胴縁30等の位置もキールトラス梁１を受ける主柱２に合わせて少し外側に取り付ける必要がある。
【００１０】
そのためには、間柱21と取り合う胴縁30等の取り付けピース31の長さやボルト孔位置を、各間柱21毎かつ取付けピース31位置毎に実測してから製作しなければならず、相当の労力と時間及び費用がかかった。
【００１１】
これらの課題に対して、従来の解決方法として、例えば、図10(a)に図示したように、屋根自重Ｗに対して予想されるたわみ（δV）の値を計算し、同じ量だけ上に膨出さ (むくら)せたキールトラス梁１及びたわみ(δV)に対応した前記変位(δH)分だけ内側に傾斜させた柱を製作する方法があった。  
【００１２】
この場合、建方完了により支保工20,20を撤去すれば、実際に発生する屋根自重Ｗによるたわみ（δV）と相殺して、図10(b)に図示したように、主柱２はほぼ鉛直真直ぐになる理屈である。
【００１３】
しかし、この方法は、計算結果と実際に発生するたわみの量との誤差が予測できないので、胴縁30等の取付けピース31による調整は不要とはならない。
【００１４】
従来の別の解決方法としては、図11(a),(b)に図示したように、キールトラス梁１端部の下弦材5',5'を除いて、設計通りに製作し、建方完了により支保工20,20を撤去した後、キールトラス梁１端部の下弦材先端部5aと主柱２の側面との距離を実測して、それに合わせて下弦材5',5'を製作し、取り付ける方法があった。
【００１５】
この方法は、キールトラス梁１のたわみ発生により下弦材５の先端部5aが外側に変位しても主柱２には直接影響せず、キールトラス梁１を支える主柱２は、ほぼ鉛直真直ぐの状態が保持されるので、前記第１の従来方法よりも確実である。
【００１６】
但し、後取り付けとなる前記下弦材5',5'は実測後の製作となるので、実測手間のみならず、製作時間が別途必要であり、施工日数が延びる要因となる。
【００１７】
また、屋根梁とその屋根梁を支える柱との接合構造について開示された先行技術としては、例えば、特許文献１がある。特許文献１には、屋根梁とその屋根梁を支える柱との接合部において、屋根梁中央の予想される下向きのたわみ量のいくらかを、事前に、鉄骨建方時に上方向にキャンバーをとることによって、仕上がり後の屋根梁の下向きのたわみ量を低減して、所定の設計高さを確保する接合部構造が開示されている。
【００１８】
その方法は、屋根梁とその屋根梁を支えるＨ形鋼柱の頂部との接合を、屋根梁の支承部側から突設したプレートとＨ形鋼柱の頂部のウェブとを複数のボルトにて接合するが、そのボルト孔のクリアランスを利用して、屋根梁の建方キャンバーによるＨ形鋼柱の頂部における付加回転角度を確保した後にボルトを締め付けるものである。
【先行技術文献】
【特許文献】
【００１９】
【特許文献１】実用新案登録第3160530号
【考案の概要】
【考案が解決しようとする課題】
【００２０】
上記特許文献１の考案では、屋根梁を支えるＨ形鋼柱の頂部に屋根梁を乗せるものであり、前記課題のような、柱の傾斜に対しては何ら考慮するものではなく、課題解決を示唆することは皆無である。
【００２１】
本考案は、キールトラス梁のたわみにより、そのキールトラス梁端部に位置する下弦材の先端部が大きく外側に変位することによって、主柱が外側に傾斜するという課題を解決できるトラス梁と主柱との接合構造を提供するものである。
【課題を解決するための手段】
【００２２】
本考案は、図１(a),(b)に図示するように、トラス梁と当該トラス梁の端部を支える主柱との接合構造において、前記トラス梁の端部に位置する上弦材、下弦材及びラチス材のうち、上弦材とラチス材の端部は主柱の上端部に接合し、下弦材はトラス梁が主柱間でたわんだ際に下弦材の先端部と主柱の側面との間に一定の隙間ｄを保持し得る長さに形成し、かつ前記主柱の側面に接合部材によってトラス梁がたわんだ状態に接合することにより構成されてなることを特徴とするものである。
【００２３】
下弦材の先端部と主柱間の隙間ｄは、主柱間でトラス梁が自重Ｗによってたわんだ際に下弦材の先端部が主柱の側面に接触しない程度に、下弦材の長さをやや短く形成することにより（Ａ部）容易に確保することができる。
【００２４】
下弦材の先端部と主柱の側面間に、上記するような隙間ｄを予め設けることにより、トラス梁が主柱間でたわみ、これに伴い下弦材の先端部が主柱側に変位したとしても、下弦材の先端部が主柱の側面に接触することがないので、主柱の側面が下弦材の先端部に押されて外側に傾斜するという課題を解決することができる。
【００２５】
また、これにより、主柱に取り付けられた胴縁などの二次部材が、主柱と共に主柱の外側に膨出することはなく、また、当該胴縁の上に取り付けられた壁仕上げ材の面が歪む等といったことも起こらないので、壁仕上げ材を設計通りの平面に仕上げることができる。
【００２６】
前記接合部材は、主柱の側面にボルト付け等によって固定された定着板と当該定着板から下弦材側に突設された接合板より構成され、特に接合板は鉛直面と平行に突設され、かつ下弦材の先端部は接合板に溶接またはボルト接合されるため、キールトラス梁のたわみにより下弦材の先端部が上向きに傾いていても、下弦材の先端部を接合板に確実に接合することができる。  
【００２７】
なお、接合部材は、CT(カットティー)形鋼を所定の寸法にカットすることにより容易に製作することができる。
【００２８】
また、接合部材の接合板を下弦材先端部の両側に下弦材の先端部を挟み込むように平行に突設し、当該二枚の接合板を下弦材先端部の両側に溶接またはボルト接合することにより下弦材の先端部をより確実強固に接合することができる。
【００２９】
さらに、接合部材として、主柱の側面にボルト付け等によって固定される固定部と当該固定部に鉛直方向に回転自在にピン着された回転部とからなる接合部材を使用し、当該接合部材の回転部に下弦材の先端部を連結長ボルトによってボルト接合することにより、トラス梁のたわみに伴う下弦材先端部の傾きと下弦材先端部と主柱間の隙間が設計時により違っていても、これに難なく対処することがでる。
【００３０】
下弦材には調達容易なＨ形鋼やＬ形鋼、溝形鋼、CT形鋼、若しくは四角断面木材などを利用することができ、特にＬ形鋼と溝形鋼は、軸方向に二本抱き合わせて設置することにより簡単に強度を高めることができる。また、四角断面木材には無垢の角材または集成材を用いることができ、加工も容易である。  
【００３１】
なお、現場の建方について簡単に説明すると、
(1) 図１(a)に図示するように、最初に主柱を建て付け、その対向する側面に接合部材をそれぞれボルト付け等によって取り付ける。
(2) 次に、主柱間の上端部にトラス梁を架け渡し、下からベントなどの支保工によって支える。
(3) 次に、トラス梁の両端部に位置する上弦材、下弦材及びラチス材のうち、上弦材とラチス材の先端部を主柱の頂部にそれぞれ接合する。
【００３２】
(4) 次に、トラス梁を支えている支保工を撤去してトラス梁を主柱間で自重によりたわませる。
(5) そして、トラス梁の両端部に位置する下弦材の先端部を接合部材の接合板に溶接またはボルト接合して建て方を完了する。
【００３３】
以上の施工手順によって主柱間にトラス梁を架設することができ、また、トラス梁の両端部に位置する下弦材の先端部を主柱の側面に接合することができる。
【００３４】
特に、建方時の主柱の傾斜を抑制することが容易なことにより、現場建方における労力と時間及び費用を節約することができ、建方後の胴縁などの二次部材、さらに仕上げ材の取付けも容易に行うことができる。  
【００３５】
なお、本考案は、梁成の大きなキールトラス梁とこれを支える主柱との接合構造にのみ適用されるわけではなく、梁成の小さいトラス梁を支える主柱が、トラス梁のたわみによって傾斜する現象を起こす場合にも適用可能なことはいうまでもない。
【００３６】
また、本考案は、鉄骨トラス梁と主柱との接合にだけでなく、木製トラス梁と主柱との接合にも、トラス梁の端部に位置する下弦材の先端部に金物を取り付けることにより適用が可能であり、本考案の適用範囲である。
【考案の効果】
【００３７】
本考案は、以上のような構成によるので、次のような効果がある。
【００３８】
1) 屋根架構の建方時において、キールトラス梁のたわみに伴う下弦材先端部の変位を発生させてから、下弦材と主柱とを接合するので、屋根自重による主柱の傾斜を大幅に抑制することができる。
2) 屋根自重による主柱の傾斜が大幅に抑制されるので、キールトラス梁のたわみの影響を受けない隣接間柱と前記主柱に架け渡す胴縁等の仕上げ受け材を、蛇行することなく真直ぐ通して取り付けることができる。
3) 胴縁等の仕上げ受け材を真直ぐ通して取り付けることができるので、取付けピースによる調整作業が不要になり、前記従来の方法に比べ、格段に施工効率が向上する。
【図面の簡単な説明】
【００３９】
【図１】本考案に係るキールトラス梁と主柱とからなる架構を示し、図１(a)は、キールトラス梁の両端部の下弦材と接合部材とを接合する直前の状態を示す説明図であり、図１(b)は、支保工を撤去後、キールトラス梁両端部の下弦材と接合部材とを接合をして、建方を完了した状態を示す説明図である。
【図２】本考案の第１実施形態を示し、図２(a)はＨ形鋼（横使い）からなる下弦材と主柱との接合部を示す側面図、図２(b)は図２(a)におけるイ−イ線断面図である。
【図３】本考案の第２実施形態を示し、図３(a)はＨ形鋼（縦使い）からなる下弦材と主柱との接合部を示す側面図、図３(b)は図３(a)におけるロ−ロ線断面図である。
【図４】本考案の第３実施形態を示し、図４(a)は２本のＬ形鋼からなる下弦材と主柱との接合部を示す側面図、図４(b)は図４(a)におけるハ−ハ線断面図である。
【図５】本考案の第４実施形態を示し、図５(a)はCT形鋼からなる下弦材と主柱との接合部を示す側面図、図５(b)は図５(a)におけるニ−ニ線断面図である。
【図６】本考案の第５実施形態を示し、図６(a)は接合部材と長ボルトによる、Ｈ形鋼(縦使い)からなる下弦材と主柱との接合部を示す側面図、図６(b)は図６(a)におけるホ−ホ線断面図である。
【図７】本考案の第６実施形態を示し、図７(a)は接合部材と長ボルトによる、Ｈ形鋼(縦使い)からなる下弦材と主柱との接合部を示す側面図、図７(b)は図７(a)におけるヘ−ヘ線断面図である。
【図８】本考案の第７実施形態を示し、図８(a)は四角断面木材からなる下弦材と主柱との接合部を示す側面図、図８(b)は図８(a)におけるト−ト線断面図である。
【図９】図９(a),(b)は、キールトラス梁と主柱からなる架構の、屋根自重による変形状況を説明した図、図９(c),(d)は、壁仕上げ材を受ける胴縁の柱への取り付け状態を説明した図である。
【図１０】図10(a),(b)は、キールトラス梁と主柱からなる架構において、キールトラス梁に上向きの製作キャンバーを設ける従来の方法であり、屋根自重による変形状況を説明した図である。
【図１１】図11(a),(b)は、キールトラス梁と主柱からなる架構において、キールトラス梁端部の下弦材を、キールトラス梁をたわませた後に取り付ける従来の別の方法を説明した図である。
【考案を実施するための形態】
【００４０】
図２(a),(b)は本考案の第１実施形態を示し、図２(a)はキールトラス梁の端部に位置する下弦材と主柱との接合部を示す側面図、図２(b)は図２(a)におけるイ−イ線断面図である。
【００４１】
図示するように、キールトラス梁１の端部に位置する下弦材５はＨ形鋼より形成され、特に横使い (横倒れの状態)に設置されている。また、下弦材５の先端部5aは、定着板6aとその両端より下弦材５側に平行に立設した一対の接合板6b,6bとからなる接合部材６によって主柱２の側面に接合されている。
【００４２】
接合部材６は、主柱２の側面に定着板6aを複数の取付けボルト７によってボルト付けすることにより取り付けられている。また、下弦材５の先端部5aは、キールトラス梁１のたわみにより斜め上向きに傾斜し、かつ傾斜した状態で接合部材６の接合板6b,6b間に挿入され、結果的に下弦材５の先端部5aは接合板6b,6b間に左右から挟まれている。
【００４３】
そして、接合部材６の接合板6b,6bに予め開けられた孔部８と縁部９が下弦材５であるＨ形鋼のフランジ側面にそれぞれ溶接されている。以上の構成により、下弦材５の先端部5aは主柱２の側面に接合部材６によって接合されている。
【００４４】
この第１実施形態では、接合部材６が定着板6aの中間部を堺に下弦材５の幅方向(軸直角方向)に左右２つに分離しているので(図３(b)参照)、接合板6b,6bの間隔設定を下弦材５の幅に合わせることができ、これにより下弦材５の先端部5aを接合板6b,6b間に挿入する作業が容易となり、また下弦材５のフランジ面と接合板6bとを密着させた状態で溶接することができる。
【００４５】
図３(a),(b)は本考案の第２実施形態を示し、図３(a)はキールトラス梁の端部に位置する下弦材と主柱との接合部を示す側面図、図３(b)は図３(a)におけロ−ロ線断面図である。
【００４６】
図示するように、キールトラス梁１の端部に位置する下弦材５はＨ形鋼より形成され(縦使い)、その先端部5aの両側面に塞ぎ板5b,5bがそれぞれ取り付けられている。
【００４７】
また、下弦材５の先端部5aは、図２(a),(b)で説明した第１実施形態と同様に、傾斜した状態で接合部材６の接合板6b,6b間に挿入されている。    
【００４８】
そして、接合部材６の接合板6b,6bに予め開けられた孔部８と縁部９が塞ぎ板5b,5bの側面に溶接されている。
【００４９】
以上の構成により、実施形態１で説明した接合部材６をそのまま利用することにより、下弦材５の先端部5aは主柱２の側面に接合されている。
【００５０】
図４(a),(b)は本考案の第３実施形態を示し、図４(a)はキールトラス梁の端部に位置する下弦材と主柱との接合部を示す側面図、図４(b)は図４(a)におけるハ−ハ線断面図である。
【００５１】
図示するように、キールトラス梁１の端部に位置する下弦材５は２本のＬ形鋼から形成され、２本のＬ形鋼は軸方向に抱き合わせて設置されている。また、下弦材５の先端部5aは、定着板6aとその中央より下弦材５側に立設した接合板6bとからなる接合部材６によって主柱２の側面に接合されている。
【００５２】
接合部材６は、主柱２の側面に定着板6aを複数の取付けボルト７によってボルト付けすることにより取り付けられている。また、下弦材５の先端部5aは、キールトラス梁１のたわみにより斜め上向きに傾斜し、かつ傾斜した状態で接合部材６の接合板6bの両側面に添え付けられている。
【００５３】
すなわち、下弦材５である２本のＬ形鋼の端部が接合板6bの両側面にそれぞれ添え付けられ、結果的に接合板6bは２本のＬ形鋼の間に挿入されている。そして、２本のＬ形鋼の先端部に予め開けられた孔部８や縁部９が接合板6bの側面に溶接されている。
【００５４】
以上の構成により、下弦材５の先端部5aは主柱２の側面に接合部材６によって接合されている。なお、下弦材５に２本のＬ形鋼を用いた場合は、２本のＬ形鋼の間に予め少し隙間を設けておくことにより、２本のＬ形鋼の間に接合板6bを挿入し易くなり、下弦材端部の接合作業が容易になる。また、Ｌ形鋼の代わりに２本の溝形鋼を抱き合わせて下弦材５とすることもできる。
【００５５】
図５(a),(b)は本考案の第４実施形態を示し、図５(a)はキールトラス梁の端部に位置する下弦材と主柱との接合部を示す側面図、図５(b)は図５(a)におけるニ−ニ線断面図である。
【００５６】
図示するように、キールトラス梁１の端部に位置する下弦材５はCT形鋼より形成され、断面が逆Ｔ字型となるように設置されている。また、下弦材５の先端部5aは、定着板6aとその中央より下弦材５側に立設した接合板6bとからなる接合部材６によって主柱２の側面に接合されている。
【００５７】
接合部材６は、主柱２の側面に定着板6aを複数の取付けボルト７によってボルト付けすることにより取り付けられている。また、下弦材５の先端部5aは、キールトラス梁１のたわみにより斜め上向きに傾斜し、かつ傾斜した状態で接合部材６の接合板6bの先端部に設置されている。  
【００５８】
特に、下弦材(CT形鋼)５のウェブと接合部材６の接合板6bが同一鉛直面内に位置するように設置されている。
【００５９】
また、下弦材(CT形鋼)５のウェブと接合部材６の接合板6bの両側に複数の連結板10a,10aが対称に添え付けられ、下弦材(CT形鋼)５のフランジの下側と接合部材６の接合板6bの両側に複数の連結板10b,10bが対称に添え付けられている。
【００６０】
そして、下弦材(CT形鋼)５のウェブと連結板10a,10a、下弦材(CT形鋼)５のフランジと連結板10b,10bはそれぞれ複数の接合ボルト11によって接合され、これらの連結板10a,10bと接合部材６の接合板6bは溶接によって接合されている。
【００６１】
特に、連結板10a,10aと接合板6bは、連結板10a,10aに予め開けられた孔部８や縁部９を接合板6bに溶接することにより接合され、連結板10b,10bと接合板6bは、連結板10b,10bの縁部を接合板6bに溶接することにより接合されている。
【００６２】
なお、接合部材６の構成は、第３実施形態で説明したものと同じであるが、下弦材５の種類が異なるのでその形状寸法に合わせて製作すればよい。
【００６３】
図６(a),(b)は本考案の第５実施形態を示し、図６(a)はキールトラス梁の端部に位置する下弦材と主柱との接合部を示す側面図、図６(b)は図６(a)におけるホ−ホ線断面図である。
【００６４】
図示するように、キールトラス梁１の端部に位置する下弦材５はＨ形鋼より形成され(縦使い)、先端部5aに端面板5cが取り付けられている。また、下弦材５の先端部5aは、主柱２の側面に取り付けられた固定部12と固定部12に回転ピン13によって回転自在にピン着された回転部14とからなる接合部材６と、接合部材６の回転部14と下弦材５の先端部5aとを連結する複数の連結長ボルト15によって接合されている。
【００６５】
接合部材６の固定部12は、主柱２の側面に複数の取付けボルト７によってボルト付けされた定着板12aと定着板12aの中央より下弦材５側に平行に突設された複数の接合板12b,12bとから形成されている。
【００６６】
また、回転部14は、固定部12の接合板12b,12b間に回転ピン13によって鉛直方向に回転自在にピン着された回転板14aと回転板14aの先端部に取り付けられた連結板14bとから平面に見てほぼＴ字形状に形成されている。              
【００６７】
また、下弦材５の先端部5aに取り付けられた端面板5cと回転部14の連結板14bが複数の連結長ボルト15によって連結されている。なお、接合板12b,12bの先端部と回転板14aの先端部は、回転板14aの回転に支障を来たさないように側面より見て円弧状に形成されている。
【００６８】
また、端面板5cおよび連結板14bに形成された連結長ボルト15のボルト孔は、いわゆるルーズ孔になっていることにより連結長ボルト15は任意の方向に向くことができる。いわゆるユニバーサルジョイントになっている。
【００６９】
以上の構成により、下弦材５の先端部5aは主柱２の側面に接合部材６と複数の連結長ボルト15によって接合されている。また、キールトラス梁１のたわみにより下弦材５の端部5aが上向きに傾斜しても、下弦材５の端部5aを上向きのまま接合することができる。
【００７０】
また特に、下弦材５の先端部5aに取り付けられた端面板5cに形成された連結長ボルト14のボルト孔が、いわゆるルーズ孔になっているので、連結長ボルト15に曲面座金15aを併用することにより連結長ボルト15への曲げ力の作用を回避することができる。
【００７１】
また、連結長ボルト15を用いることにより、第１乃至第４実施形態のような溶接が不要になり、また、連結長ボルト15の連結ナット15bの位置調整により、下弦材５の先端部5aと主柱２との間隔をある程度調整できるので、主柱２の微妙な建て入れ（鉛直度）を直すことも可能になる。
【００７２】
図７(a),(b)は本考案の第６実施形態を示し、図７(a)はキールトラス梁の端部に位置する下弦材と主柱との接合部を示す側面図、図７(b)は図７(a)におけるヘ−ヘ線断面図である。
【００７３】
図示するように、キールトラス梁１の端部に位置する下弦材５はＨ形鋼より形成され、特に横使い (横倒れの状態)に設置されている。また、下弦材５の端部5aは、第５の実施形態と全く同様に主柱２の側面に固定部12と回転部14とからなる接合部材６と複数の連結長ボルト15によって接合されている。
【００７４】
また特に、下弦材５の先端部5a(Ｈ形鋼の先端部)のウェブに矩形状の切除部5dが形成され、また、ウェブの上下両側に複数の補強リブ5e,5fがそれぞれ取り付けられている。
【００７５】
切除部5dは、主として端面板5cを貫通する連結長ボルト15の端部に連結ナットを締め付けるための作業スペース、または連結長ボルト15の端部がＨ形鋼のウェブにぶつかることなく自由に動くためのスペース等となるものである。
【００７６】
また、補強リブ5e,5fは、切除部5dを設けたことによる下弦材５の先端部5aの強度低下を防止するものであり、補強リブ5eはフランジ間に端面板5cと平行に取り付けられ、補強リブ5fはウェブ中央の端面板5cと補強リブ5e間に取り付けられている。
【００７７】
以上の構成により、下弦材５の先端部 (Ｈ形鋼の先端部) 5aのウェブに切除部5cが形成されたことによる、下弦材先端部の強度低下を防止することができる。
【００７８】
図８(a),(b)は本考案の第７実施形態を示し、木造トラス梁と木造主柱に適用した場合である。図８(a)はキールトラス梁の端部に位置する下弦材と主柱との接合部を示す側面図、図８(b)は図８(a)におけト−ト線断面図である。
【００７９】
図示するように、キールトラス梁１の端部に位置する下弦材５は、無垢の角材または集成材からなる四角断面木材により形成され、その先端部5aの両側面に補強板16a,16aが、ダボ16b，16bによりそれぞれ取り付けられている。また、主柱２は、下弦材５と同様に無垢の角材または集成材からなる四角断面木材より形成されている。
【００８０】
下弦材５の先端部5aは、図２(a),(b)で説明した第１実施形態と同様に、傾斜した状態で接合部材６の接合板6a,6a間に挿入されている。
【００８１】
そして、接合部材６の接合板6b,6bに予め開けられた孔部８と縁部９が補強板16a,16aの側面に溶接されている。
【００８２】
以上の構成により、実施形態１で説明した接合部材６をそのまま利用することにより、下弦材５の先端部5aは主柱２の側面に接合されている。
【産業上の利用可能性】
【００８３】
本考案は、張間の大きな建物の屋根を支える架構として、従来一般的に用いられているキールトラス梁（成の大きなトラス梁）を主柱で支える架構において、その建方時の主柱の傾斜を抑制することが容易になるので、現場建方における労力と時間及び費用を節約することができる。
【００８４】
なお、本考案は、梁成の大きな鉄骨トラス梁を主な対象とするが、鉄骨トラス梁を支える主柱が傾斜する現象は梁成が小さくても発生するので、それが何らかの問題になる場合にも有効な接合構造であることはいうまでもない。
【００８５】
また、本考案は、トラス部材が非鉄骨(例えば、木材等)の場合においても有効である。例えば、図２(又は図３)の第１(又は第２)実施形態は、下弦材が矩形断面木材であれば、下弦材の先端部に金物を取り付けることにより使用が可能であり(図８参照)、本考案の適用範囲である。
【符号の説明】
【００８６】
１：キールトラス梁(トラス梁)
２：主柱
３：上弦材
４：ラチス材
5,5’：下弦材
5a：下弦材の先端部
5b：塞ぎ板
5c：端面板
5d：切除部
5e：  補強リブ
5f：  補強リブ
６：接合部材
6a：定着版
6b：接合板
７：取付けボルト
８：孔部
９：縁部
10a：連結板
10b:連結板
11：接合ボルト
12：固定部
12a:定着板
12b：接合板
13：回転ピン
14：回転部
14a：回転板
14b：連結板
15：連結長ボルト
15a:曲面座金
15b:連結ナット
16a:補強板
16b:ダボ
20：支保工
21：間柱
30：胴縁
31：取り付けピース
δH：水平変位
δV：たわみ
Ｗ：屋根自重
θ：回転
【図１】
0003190033.tif 000003
【図２】
0003190033.tif 000004
【図３】
0003190033.tif 000005
【図４】
0003190033.tif 000006
【図５】
0003190033.tif 000007
【図６】
0003190033.tif 000008
【図７】
0003190033.tif 000009
【図８】
0003190033.tif 000010
【図９】
0003190033.tif 000011
【図１０】
0003190033.tif 000012
【図１１】
0003190033.tif 000013